(57)【要約】【課題】  より簡便な設備を使用し、より簡易な作業により、熟練を要せずに、ピグを用いて配管の清掃または塗装ができる配管更生方法を提供しようとする。【解決手段】  従来の配管更生方法にかわって、配管の他方の端部から内部の流体を負圧で吸引する負圧吸引工程と、配管の一方の端部を大気に開放する大気開放工程と、配管の一方の端部を大気に開放するのを止める大気閉止工程と、配管の一方の端部にピグを投入するピグ投入工程と、配管の一方の端部に加圧した気体を案内する加圧気体案内工程と、を備え、前記負圧吸引工程を実施中に、前記大気開放工程を実施した後で、前記ピグ投入工程を実施してから所定時間が経過するまでにピグが他方の端部に到達しないときに、前記大気閉止工程と前記加圧気体案内工程とを実施するものとした。【選択図】    図１
2007209940.tif 000002
【特許請求の範囲】
【請求項１】
ピグを用いて配管を清掃または塗装する配管更生方法であって、
配管の他方の端部から内部の流体を負圧で吸引する負圧吸引工程と、
配管の一方の端部を大気に開放する大気開放工程と、
配管の一方の端部を大気に開放するのを止める大気閉止工程と、
配管の一方の端部にピグを投入するピグ投入工程と、
配管の一方の端部に加圧した気体を案内する加圧気体案内工程と、
を備え、
前記負圧吸引工程を実施中に、前記大気開放工程を実施した後で、前記ピグ投入工程を実施してから所定時間が経過するまでにピグが他方の端部に到達しないときに、前記大気閉止工程と前記加圧気体案内工程とを実施する。
【請求項２】
ピグを用いて配管を清掃または塗装する配管更生方法であって、
配管の他方の端部から内部の流体を負圧で吸引する負圧吸引工程と、
配管の一方の端部を大気に開放する大気開放工程と、
配管の一方の端部を大気に開放するのを止める大気閉止工程と、
配管の一方の端部にピグを投入するピグ投入工程と、
配管の一方の端部に加圧した気体を案内する加圧気体案内工程と、
を備え、
前記負圧吸引工程を実施中に、前記ピグ投入工程を実施した時からピグが他方の端部に到達するまでの間に、配管の他方の端部の圧力の変化に応じて、前記大気閉止工程と前記加圧気体案内工程を実施、または前記大気開放工程を実施のうちの一方を行う。
【請求項３】
前記負圧吸引工程を実施中に、前記ピグ投入工程を実施した時からピグが他方の端部に到達するまでの間に、配管の他方の端部の圧力が設定圧力より高いときに前記大気開放工程を実施し、配管の他方の端部の圧力が設定圧力より低いときに前記大気閉止工程と前記加圧気体案内工程とを実施する、
ことを特徴とする請求項２に記載の配管更生方法。
【請求項４】
前記負圧吸引工程を実施中に、前記ピグ投入工程を実施した時からピグが他方の端部に到達するまでの間に、配管の他方の端部の圧力の変動幅が設定圧力幅より小さいときに前記大気開放工程を実施し、または配管の他方の端部の圧力の変動幅が設定圧力幅より大きいときに前記大気閉止工程と前記加圧気体案内工程とを実施する、
ことを特徴とする請求項２に記載の配管更生方法。
【請求項５】
ピグを用いて配管を清掃または塗装する配管更生方法であって、
配管の他方の端部から内部の流体を負圧で吸引する負圧吸引工程と、
配管の一方の端部に液体を案内する液体案内工程と、
配管の一方の端部にピグを投入するピグ投入工程と、
配管の一方の端部に加圧した気体を案内する加圧気体案内工程と、
配管の一方の端部に加圧した気体を案内するのを止める加圧気体閉止工程と、
を備え、
前記負圧吸引工程を実施中に、前記液体案内工程と前記加圧気体閉止工程とを実施した後で、前記ピグ投入工程を実施してから所定時間を経過するまでにピグが配管の他方の端部に到達しないときに、前記加圧気体案内工程を実施する、
ことを特徴とする配管更生方法。
【請求項６】
ピグを用いて配管を清掃または塗装する配管更生方法であって、
配管の他方の端部から内部の流体を負圧で吸引する負圧吸引工程と、
配管の一方の端部に液体を案内する液体案内工程と、
配管の一方の端部にピグを投入するピグ投入工程と、
配管の一方の端部に加圧した気体を案内する加圧気体案内工程と、
配管の一方の端部に加圧した気体を案内するのを止める加圧気体閉止工程と、
を備え、
前記負圧吸引工程を実施中に、前記ピグ投入工程を実施した時からピグが他方の端部に到達するまでの間に、配管の他方の端部の圧力の変化に応じて、前記加圧気体閉止工程と前記液体案内工程とを実施、または前記加圧気体案内工程を実施のうちの一方を行う、
ことを特徴とする配管更生方法。
【請求項７】
前記負圧吸引工程を実施中に、前記ピグ投入工程を実施した時からピグが他方の端部に到達するまでの間に、配管の他方の端部の圧力が設定圧力より高いときに前記加圧気体閉止工程と前記液体案内工程とを実施し、または配管の他方の端部の圧力が設定圧力より低いときに前記加圧気体案内工程を実施する、
ことを特徴とする請求項６に記載の配管更生方法。
【請求項８】
前記負圧吸引工程を実施中に、前記ピグ投入工程を実施した時からピグが他方の端部に到達するまでの間に、配管の他方の端部の圧力の変動幅が設定圧力幅より小さいときに前記液体案内工程と前記加圧気体閉止工程とを実施し、または配管の他方の端部の圧力の変動幅が設定圧力幅より大きいときに前記加圧気体案内工程を実施する、
ことを特徴とする請求項６に記載の配管更生方法。
【発明の詳細な説明】
【技術分野】
【０００１】
本発明は、ピグを用いて配管の内壁を清掃し、または塗装する配管更生方法に係る。特に、ピグが配管の途中で停止したときの取り扱いに特徴のある配管更生方法に関する。
【背景技術】
【０００２】
従来、配管管体の内壁面に塗料を塗装するには、研摩処理を施工した後、管体の一端に連通した圧縮装置から圧縮空気を圧送し、管体内に嵌挿したピグを管体内で移動し、ピグと共に送られる塗料を塗装していた。
【０００３】
また、管体の一端から予め計算された塗膜が形成できる量の塗料を収納して、その塗料を圧縮気体流により順次押し出して塗料と圧縮気体流の気液二層流を生じさせ、その気液二層流が押し延ばして塗装をして配管の内壁を塗装していた。
【０００４】
前記の塗装方法では、加圧空気を使用する為、装置が耐圧仕様で大規模となる。また圧縮装置からの弁体を開いて、圧縮空気を送ると、塗布体（ピグ）が瞬時に管体から飛出し、充分な塗装が行われない。従って、圧縮空気の調整が難しく熟練を要している。
【０００５】
そこで、発明者らは、吸引空気を利用する簡潔な装置でこの課題に対処するために、管体の一端を弁体を介して大気に連絡し、他端を、弁体を介してバキューム装置に連結し、管体内に嵌挿した塗布体を、一端の前記バキューム装置の吸引によって生じた負圧で管内で順次移動させ、管内に送られた塗料で管体内面の塗装を行うようにした塗装方法を発案した。
【０００６】
ところで、ピグを配管に投入した時、ピグが配管の途中に止まってしまう恐れがある。ピグが配管の中に停止してしまうと、ピグを取り出すのに時間を要していた。特に、塗料を投入した配管内に停止したピグの取出に手間取り、塗料の硬化がすすむと、ピグの取出がますます困難になる。
【０００７】
そこで、今以上に、より簡便な設備を使用し、より簡易な作業により、熟練を要せずに、ピグを用いて配管の内壁の清掃と塗装とができる配管内壁塗装方法が望まれている。
【０００８】
【特許文献１】特開２０００−０５１７８７号
【特許文献２】特開２０００−１８９９１７号
【発明の開示】
【発明が解決しようとする課題】
【０００９】
本発明は以上に述べた問題点に鑑み案出されたもので、より簡便な設備を使用し、より簡易な作業により、熟練を要せずに、ピグを用いて配管の清掃または塗装ができる配管更生方法を提供しようとする。
【課題を解決するための手段】
【００１０】
上記目的を達成するため、本発明に係るピグを用いて配管を清掃または塗装する配管更生方法を、配管の他方の端部から内部の流体を負圧で吸引する負圧吸引工程と、配管の一方の端部を大気に開放する大気開放工程と、配管の一方の端部を大気に開放するのを止める大気閉止工程と、配管の一方の端部にピグを投入するピグ投入工程と、配管の一方の端部に加圧した気体を案内する加圧気体案内工程と、を備え、前記負圧吸引工程を実施中に、前記大気開放工程を実施した後で、前記ピグ投入工程を実施してから所定時間が経過するまでにピグが他方の端部に到達しないときに、前記大気閉止工程と前記加圧気体案内工程とを実施するものとした。
【００１１】
上記本発明の構成により、配管の他方の端部から内部の流体を負圧で吸引する際に、配管の一方の端部を大気に開放した後で、配管の一方の端部に投入したピグが配管の他方の端部に到達しないときに、配管の一方の端部を大気に開放するのを止めて、配管の一方の端部に加圧した気体を案内する。
その結果、ピグが配管の途中に止まったときに、ピグに加圧した気体の圧力を作用させ、ピグを配管の他方の端部に到達させる。
【００１２】
上記目的を達成するため、本発明に係るピグを用いて配管を清掃または塗装する配管更生方法を、配管の他方の端部から内部の流体を負圧で吸引する負圧吸引工程と、配管の一方の端部を大気に開放する大気開放工程と、配管の一方の端部を大気に開放するのを止める大気閉止工程と、配管の一方の端部にピグを投入するピグ投入工程と、配管の一方の端部に加圧した気体を案内する加圧気体案内工程と、を備え、前記負圧吸引工程を実施中に、前記ピグ投入工程を実施した時からピグが他方の端部に到達するまでの間に、配管の他方の端部の圧力の変化に応じて、前記大気閉止工程と前記加圧気体案内工程とを実施、または前記大気開放工程を実施のうちの一方を行うものとした。
【００１３】
上記本発明の構成により、配管の他方の端部から内部の流体を負圧で吸引する際に、配管の一方の端部に投入したピグが配管の他方の端部に到達するまでの間に、配管の他方の端部の圧力の変化に応じて、配管の一方の端部を大気に開放するのを止めて配管の一方の端部に加圧した気体を案内することと、配管の一方の端部を大気に開放することの一方をおこなう。
その結果、ピグが配管の途中に止まったときに配管の他方の端部の圧力の変化が生じるので、ピグに加圧した気体の圧力を作用させ、ピグを配管の他方の端部に到達させる。
【００１４】
以下に、本発明の実施形態に係るいくつかの配管更生方法を説明する。本発明は、以下に記載した実施形態のいずれか、またはそれらの中の二つ以上が組み合わされた態様を含む。
【００１５】
本発明の実施形態に係る配管更生方法は、前記負圧吸引工程を実施中に、前記ピグ投入工程を実施した時からピグが他方の端部に到達するまでの間に、配管の他方の端部の圧力が設定圧力より高いときに前記大気開放工程を実施し、配管の他方の端部の圧力が設定圧力より低いときに前記大気閉止工程と前記加圧気体案内工程とを実施する。
上記実施形態の構成により、配管の他方の端部から内部の流体を負圧で吸引する際に、配管の一方の端部に投入したピグが配管の他方の端部に到達するまでの間に、配管の他方の端部の圧力が設定圧力より高いときに配管の一方の端部を大気に開放し、配管の他方の端部の圧力が設定圧力より低いときに配管の一方の端部を大気に開放するのを止めて配管の一方の端部に加圧した気体を案内する。
その結果、ピグが配管の途中に止まったときに配管の他方の端部の圧力が低下するので、ピグに加圧した気体の圧力を作用させ、ピグを配管の他方の端部に到達させる。
【００１６】
本発明の実施形態に係る配管更生方法は、前記負圧吸引工程を実施中に、前記ピグ投入工程を実施した時からピグが他方の端部に到達するまでの間に、配管の他方の端部の圧力の変動幅が設定圧力幅より小さいときに前記大気開放工程を実施し、または配管の他方の端部の圧力の変動幅が設定圧力幅より大きいときに前記大気閉止工程と前記加圧気体案内工程とを実施する。
上記実施形態の構成により、配管の他方の端部から内部の流体を負圧で吸引する際に、配管の一方の端部に投入したピグが配管の他方の端部に到達するまでの間に、配管の他方の端部の圧力の変動幅が設定圧力幅より小さいときに配管の一方の端部を大気に開放し、
配管の他方の端部の圧力の変動幅が設定圧力幅より大きいときに配管の一方の端部を大気に開放するのを止めて配管の一方の端部に加圧した気体を案内する。
その結果、ピグが配管の途中に止まりかけたときに配管の他方の端部の圧力の変動幅が大きくなるので、ピグに加圧した気体の圧力を作用させ、ピグを配管の他方の端部に到達させる。
【００１７】
上記目的を達成するため、本発明に係るピグを用いて配管を清掃または塗装する配管更生方法を、配管の他方の端部から内部の流体を負圧で吸引する負圧吸引工程と、配管の一方の端部に液体を案内する液体案内工程と、配管の一方の端部にピグを投入するピグ投入工程と、配管の一方の端部に加圧した気体を案内する加圧気体案内工程と、配管の一方の端部に加圧した気体を案内するのを止める加圧気体閉止工程と、を備え、前記負圧吸引工程を実施中に、前記液体案内工程と前記加圧気体閉止工程とを実施した後で、前記ピグ投入工程を実施してから所定時間を経過するまでにピグが配管の他方の端部に到達しないときに、前記加圧気体案内工程を実施するものとした。
【００１８】
上記本発明の構成により、配管の他方の端部から内部の流体を負圧で吸引する際に、配管の一方の端部に加圧した気体を案内するのを止めて配管の一方の端部に液体を案内した後で、配管の一方の端部に投入したピグが配管の他方の端部に到達しないときに、配管の一方の端部に加圧した気体を案内する。
その結果、ピグが配管の途中に止まったときに、ピグに加圧した気体の圧力を作用させ、ピグを配管の他方の端部に到達させる。
【００１９】
上記目的を達成するため、本発明に係るピグを用いて配管を清掃または塗装する配管更生方法を、配管の他方の端部から内部の流体を負圧で吸引する負圧吸引工程と、配管の一方の端部に液体を案内する液体案内工程と、配管の一方の端部にピグを投入するピグ投入工程と、配管の一方の端部に加圧した気体を案内する加圧気体案内工程と、配管の一方の端部に加圧した気体を案内するのを止める加圧気体閉止工程と、を備え、前記負圧吸引工程を実施中に、前記ピグ投入工程を実施した時からピグが他方の端部に到達するまでの間に、配管の他方の端部の圧力の変化に応じて、前記加圧気体閉止工程と前記液体案内工程を実施、または前記加圧気体案内工程を実施のうちの一方を行うものとした。
【００２０】
上記本発明の構成により、配管の他方の端部から内部の流体を負圧で吸引する際に、配管の一方の端部に投入したピグが配管の他方の端部に到達するまでの間に、配管の他方の端部の圧力の変化に応じて、配管の一方の端部に加圧した気体を案内することと、配管の一方の端部に加圧した気体を案内するのを止めて液体を案内することとの一方をおこなう。
その結果、ピグが配管の途中に止まったときに配管の他方の端部の圧力の変化が生じるので、ピグに加圧した気体の圧力を作用させ、ピグを配管の他方の端部に到達させる。
【００２１】
以下に、本発明の実施形態に係るいくつかの配管更生方法を説明する。本発明は、以下に記載した実施形態のいずれか、またはそれらの中の二つ以上が組み合わされた態様を含む。
【００２２】
さらに、本発明の実施形態に係る配管更生方法は、前記負圧吸引工程を実施中に、前記ピグ投入工程を実施した時からピグが他方の端部に到達するまでの間に、配管の他方の端部の圧力が設定圧力より高いときに前記加圧気体閉止工程と前記液体案内工程とを実施し、または配管の他方の端部の圧力が設定圧力より低いときに前記加圧気体案内工程を実施する。
上記実施形態の構成により、配管の他方の端部から内部の流体を負圧で吸引する際に、配管の一方の端部に投入したピグが配管の他方の端部に到達するまでの間に、配管の他方の端部の圧力が設定圧力より高いときに配管の一方の端部に加圧した気体を案内するのを止め液体を案内し、配管の他方の端部の圧力が設定圧力より低いときに配管の一方の端部に加圧した気体を案内する。
その結果、ピグが配管の途中に止まったときに配管の他方の端部の圧力が低下するので、ピグに加圧した気体の圧力を作用させ、ピグを配管の他方の端部に到達させる。
【００２３】
さらに、本発明の実施形態に係る配管更生方法は、前記負圧吸引工程を実施中に、前記ピグ投入工程を実施した時からピグが他方の端部に到達するまでの間に、配管の他方の端部の圧力の変動幅が設定圧力幅より小さいときに前記液体案内工程と前記加圧気体閉止工程とを実施し、または配管の他方の端部の圧力の変動幅が設定圧力幅より大きいときに前記加圧気体案内工程を実施する。
上記実施形態の構成により、配管の他方の端部から内部の流体を負圧で吸引する際に、配管の一方の端部に投入したピグが配管の他方の端部に到達するまでの間に、配管の他方の端部の圧力の変動幅が設定圧力幅より小さいときに配管の一方の端部に加圧した気体を案内するのを止めて液体を案内し、配管の他方の端部の圧力の変動幅が設定圧力幅より大きいときに配管の一方の端部に加圧した気体を案内する。
その結果、ピグが配管の途中に止まりかけたときに配管の他方の端部の圧力の変動幅が大きくなるので、ピグに加圧した気体の圧力を作用させ、ピグを配管の他方の端部に到達させる。
【発明の効果】
【００２４】
以上説明したように本発明に係る配管更生方法は、その構成により、以下の効果を有する。
配管の他方の端部から内部の流体を負圧で吸引する際に、配管の一方の端部を大気に開放した後で、配管の一方の端部に投入したピグが配管の他方の端部に到達しないときに、配管の一方の端部を大気に開放するのを止めて、配管の一方の端部に加圧した気体を案内する様にしたので、ピグが配管の途中に止まったときに、ピグに加圧した気体の圧力を作用させ、ピグを配管の他方の端部に到達させる。
配管の他方の端部から内部の流体を負圧で吸引する際に、配管の一方の端部に投入したピグが配管の他方の端部に到達するまでの間に、配管の他方の端部の圧力の変化に応じて、配管の一方の端部を大気に開放するのを止めて配管の一方の端部に加圧した気体を案内することと、配管の一方の端部を大気に開放することの一方をおこなう様にしたので、ピグが配管の途中に止まったときに配管の他方の端部の圧力の変化が生じるので、ピグに加圧した気体の圧力を作用させ、ピグを配管の他方の端部に到達させる。
また、配管の他方の端部の圧力が設定圧力より高いときに配管の一方の端部を大気に開放し、配管の他方の端部の圧力が設定圧力より低いときに配管の一方の端部を大気に開放するのを止めて配管の一方の端部に加圧した気体を案内する様にしたので、ピグが配管の途中に止まったときに配管の他方の端部の圧力が低下するので、ピグに加圧した気体の圧力を作用させ、ピグを配管の他方の端部に到達させる。
また、配管の他方の端部の圧力の変動幅が設定圧力幅より小さいときに配管の一方の端部を大気に開放し、配管の他方の端部の圧力の変動幅が設定圧力幅より大きいときに配管の一方の端部を大気に開放するのを止めて配管の一方の端部に加圧した気体を案内する様にしたので、ピグが配管の途中に止まりかけたときに配管の他方の端部の圧力の変動幅が大きくなるので、ピグに加圧した気体の圧力を作用させ、ピグを配管の他方の端部に到達させる。
【００２５】
以上説明したように本発明に係る配管更生方法は、その構成により、以下の効果を有する。
配管の他方の端部から内部の流体を負圧で吸引する際に、配管の一方の端部に加圧した気体を案内するのを止めて配管の一方の端部に液体を案内した後で、配管の一方の端部に投入したピグが配管の他方の端部に到達しないときに、配管の一方の端部に加圧した気体を案内する様にしたので、ピグが配管の途中に止まったときに、ピグに加圧した気体の圧力を作用させ、ピグを配管の他方の端部に到達させる。
配管の他方の端部から内部の流体を負圧で吸引する際に、配管の一方の端部に投入したピグが配管の他方の端部に到達するまでの間に、配管の他方の端部の圧力の変化に応じて、配管の一方の端部に加圧した気体を案内することと、配管の一方の端部に加圧した気体を案内するのを止めて液体を案内することとの一方をおこなう様にしたので、、ピグが配管の途中に止まったときに配管の他方の端部の圧力の変化が生じるので、ピグに加圧した気体の圧力を作用させ、ピグを配管の他方の端部に到達させる。
また、配管の他方の端部の圧力が設定圧力より高いときに配管の一方の端部に加圧した気体を案内するのを止め液体を案内し、配管の他方の端部の圧力が設定圧力より低いときに配管の一方の端部に加圧した気体を案内する様にしたので、ピグが配管の途中に止まったときに配管の他方の端部の圧力ふが低下するので、ピグに加圧した気体の圧力を作用させ、ピグを配管の他方の端部に到達させる。
また、配管の他方の端部の圧力の変動幅が設定圧力幅より小さいときに配管の一方の端部に加圧した気体を案内するのを止めて液体を案内し、配管の他方の端部の圧力の変動幅が設定圧力幅より大きいときに配管の一方の端部に加圧した気体を案内する様にしたので、ピグが配管の途中に止まりかけたときに配管の他方の端部の圧力の変動幅が大きくなるので、ピグに加圧した気体の圧力を作用させ、ピグを配管の他方の端部に到達させる。
従って、より簡便な設備を使用し、より簡易な作業により、熟練を要せずに、ピグを用いて配管の清掃または塗装ができる配管更生方法を提供できる。
【発明を実施するための最良の形態】
【００２６】
以下、本発明を実施するための最良の形態を、図面を参照して説明する。
【００２７】
最初に、第一の実施形態にかかる配管更生方法を、図を基に、説明する。
図１は、本発明の第一の実施形態に係る配管更生装置の概念図である。図２は、本発明の第一の実施形態に係る配管更生方法のシーケンス図である。図３は、本発明の第一の実施形態に係る配管更生方法の作用説明図である。
【００２８】
最初に、第一の実施形態に係る配管更生方法で使用する配管更生装置を説明する。
配管更生装置は、ピグ１１を用いて配管１０を清掃または塗装する装置であって、２個のピグキャッチャー２０ａ、２０ｂと２個の負圧吸引機器３０ａ、３０ｂと加圧気体案内機器４０ａ、４０ｂと大気案内機器５０ａ、５０ｂと２個の圧力計６０ａ、６０ｂとで構成される。
ピグは、配管の内径よりも僅かに大きな外径をもった柔軟材料性の部材である。例えば、ピグの形状は、球形、円筒形等である。
ピグ１１を配管の一方の端部１０ａから投入し、ピグ１１を配管の他方の端部１０ｂに到達させる場合を例に、説明する。
ピグキャッチャー２０ａと負圧吸引機器３０ａと加圧気体案内機器４０ａと大気案内機器５０ａと圧力計６０ａとが、配管の一方の端部に設置される。
ピグキャッチャー２０ｂと負圧吸引機器３０ｂと加圧気体案内機器４０ｂと大気案内機器５０ｂと圧力計６０ｂとが、配管の他方の端部に設置される。
【００２９】
ピグキャッチャー２０ｂは、配管を通過して端部から飛び出してくるピグを受け止める部材であり、外管２１ｂとヘッダー２２ｂと内管２３ｂと開閉蓋２４ｂとで構成される。
外管２１ｂは、一方を配管１０の端部に接続され、他方をヘッダー２２ｂに接続されるピグ１１より大きな内径を持った管状部材である。
ヘッダー２２ｂは、外管２１ｂの他方に接続され、圧力計や配管を接続可能になった接続口をもった部材である。
内管２３ｂは、外管２１ｂのピグ１１より小さな外径を持った管状部材であり、外管の内側に設けられ、片端をヘッダーに支持される。
開閉蓋２４ｂは、外管２１ｂの外周に設けられた開口部を開閉可能な蓋である。ピグを開閉蓋２４を開いた開口部からピグキャチャー２０ｂの中へ入れることができる。
ピグキャッチャー２０ａの構造は、ピグキャッチャー２０ｂの構造と同じなので説明を省略する。
ピグキャッチャー２０ａは、配管の端部にピグを投入するピグランチャーにも兼用できる。ピグランチャーとしてのみ用いる場合は、内管２３ａは省略可能である。
【００３０】
負圧吸引機器３０ｂは、配管の他方の端部１０ｂから負圧により内部の流体を吸引する機器であり、バキュームポンプ３１ｂとバキューム配管３２ｂとバキューム弁３３ｂとで構成される。
バキュームポンプ３１ｂは、負圧をつくるポンプである。バキュームポンプ３１ｂは、内部に気液分離装置を持っていてもよい。
バキューム配管３２ｂは、バキュームポンプ３１ｂをピグキャッチャー２０ｂのヘッダー２２ｂの接続口に連通する真空ホースである。
バキューム弁３３ｂは、バキューム配管３２ｂの途中に設けられる開閉弁である。
負圧吸引機器３０ａの構造は、配管の一方の端部１０ａに設けられたピグキャッチャー２０ａに接続されること以外は、負圧吸引機器３０ｂの構造と同じなので、説明を省略する。
ピグを配管の他方の端部１０ｂから投入し配管の一方の端部１０ａに到達させることをしない場合は、配管の一方の端部１０ａに設けるピグキャッチャー２０ａに接続する負圧吸引機器３０ａは、省略可能である。
【００３１】
加圧気体案内機器４０ａは、配管の一方の端部１０ａに、加圧した気体を案内し、または加圧した気体の案内を止める機器であり、コンプレッサ４１ａと加圧気体配管４２ａと加圧気体弁４３ａとで構成される。
コンプレッサ４１ａは、加圧気体をつくる機器である。
加圧気体配管２２ａは、コンプレッサ４１ａの吐出口をピグキャッチャー２０ａのヘッダー２２ａの接続口に連通するホースである。
加圧気体弁４３ａは、加圧気体配管２２ａの途中に設けられる開閉弁である。加圧気体弁４３ａを閉じると、配管の端部に加圧した気体を案内するのを止めることをできる。加圧気体弁４３ａを開くと、配管の端部に加圧した気体を案内できる。
加圧気体案内機器４０ｂの構造は、配管の他方の端部１０ｂに設けられたピグキャッチャー２０ｂに接続されること以外は、加圧気体案内機器４０ａの構造と同じなので、説明を省略する。
ピグを配管の他方の端部１０ｂから投入し配管の一方の端部１０ａに到達させることをしない場合は、配管の他方の端部１０ｂに設けるピグキャッチャー２０ｂに接続する加圧気体案内機器４０ｂは、省略可能である。
【００３２】
大気案内機器５０ａは、配管の端部に大気を案内し、または大気を案内するのを止める機器であり、大気案内配管５１ａと大気案内弁５２ａとで構成される。
大気案内配管５１ａは、ピグキャッチャー２０ａのヘッダー２２ａに連通するホースである。
大気案内弁５２ａは、大気案内配管５１ａの途中に設けられる開閉弁である。大気案内弁５２ａを閉じると、配管１０の端部に大気を案内するのを止めることをできる。大気案内配管５１ａを開くと、配管１０の端部に大気を案内することをできる。
大気案内機器５０ｂの構造は、配管の他方の端部１０ｂに設けられたピグキャッチャー２０ｂに接続されること以外は、大気案内機器５０ａの構造と同じなので、説明を省略する。
ピグを配管の他方の端部１０ｂから投入し配管の一方の端部１０ａに到達させることをしない場合は、配管の他方の端部１０ｂに設けるピグキャッチャー２０ｂに接続する大気案内機器５０ａは省略可能である。
【００３３】
圧力計６０ｂは、配管の他方の端部１０ｂの圧力を検知する測定器である。
圧力計６０ｂは、ピグキャッチャー２０ｂのヘッダー２２ｂに取り付けられる。
圧力計６０ａの構造は、配管の一方の端部１０ａに設けられたピグキャッチャー２０ａに接続されること以外は、圧力計６０ｂの構造とおなじなので、説明を省略する。
ピグを配管の他方の端部１０ｂから投入し配管の一方の端部１０ａに到達させることをしない場合は、配管の一方の端部１０ａに設けるピグキャッチャー２０ａに接続する圧力計６０ａは、省略可能である。
【００３４】
次に、本発明の第一の実施形態に係る配管更生方法を、図を基に、説明する。
配管更生方法は、ピグを用いて配管を清掃または塗装する方法であって、負圧吸引工程Ｓ１０とピグ投入工程Ｓ２０とピグ回収工程Ｓ２１と大気開放工程Ｓ３０と大気閉止工程Ｓ３１と加圧気体閉止工程Ｓ４０と加圧気体案内工程Ｓ４１とで構成される。
【００３５】
負圧吸引工程Ｓ１０は、配管の他方の端部１０ｂから内部の流体を負圧で吸引する工程である。
配管の他方に端部に接続された負圧吸引機器３０ｂのバキューム弁３３ｂを開くと、配管の他方の端部から内部の流体を負圧で吸引する。
【００３６】
ピグ投入工程Ｓ２０は、配管の一方の端部から配管１０にピグ１１を投入する工程である。
ピグ１１を、配管の一方の端部１０ａに接続されたピグキャッチャー２０ａの開閉蓋２４ａを開いた開口部から投入する。
【００３７】
ピグ回収工程Ｓ２１は、配管の他方の端部１０ｂからピグ１１を回収する工程である。
ピグ１１を配管の他方の端部１０ｂの開閉蓋２４ｂを開いた開口部から回収する。
【００３８】
大気開放工程Ｓ３０は、配管の一方の端部１０ａを大気に開放する工程である。
配管の一方の端部１０ａのピグキャッチャー２０ａに接続された大気案内機器５０ａの大気案内弁５２ａを開く。大気が、大気案内機器５０ａから配管の一方の端部１０ａに案内される。
【００３９】
大気閉止工程Ｓ３１は、配管の一方の端部を大気に開放するのを止める工程である。
配管の一方の端部１０ａに設けたピグキャッチャー２０ａに接続された大気案内機器５０ａの大気案内弁５２ａを閉じる。大気が、大気案内機器５０ａから配管の一方の端部１０ａに案内されるのを停止する。
【００４０】
加圧気体閉止工程Ｓ４０は、配管の一方の端部１０ａに加圧した気体を案内するのを止める工程である。
配管の一方の端部１０ａに設けたピグキャッチャー２０ａに接続された加圧気体案内機器４０ａの加圧気体弁４３ａを閉じる。加圧気体が、加圧気体案内機器４０ａから配管の一方の端部１０ａに案内されるのを止める。
【００４１】
加圧気体案内工程Ｓ４１は、配管の一方の端部に加圧した気体を案内する工程である。
配管の一方の端部１０ａに設けたピグキャッチャー２０ａに接続された加圧気体案内機器４０ａの加圧気体弁４３ａを開く。加圧気体が、加圧気体案内機器４０ａから配管の一方の端部１０ａに案内される。
【００４２】
次に、第一の実施形態にかかる配管更生方法を実施する複数のタイプの手順を説明する。
ピグ１１を配管の一方の端部１０ａから投入し、配管の他方の端部１０ｂで回収する場合を例に説明する。
【００４３】
配管更生方法を実施する第一のタイプの手順を説明する。
負圧吸引工程Ｓ１０を実施中に、大気開放工程Ｓ３０を実施した後で、ピグ投入工程Ｓ２０を実施してから所定時間が経過するまでにピグ１１が他方の端部に到達したときは、ピグ回収工程Ｓ２１を実施する。
負圧吸引工程Ｓ１０を実施中に、大気開放工程Ｓ３０を実施した後で、ピグ投入工程Ｓ２０を実施してから所定時間が経過するまでにピグ１１が他方の端部に到達しないときに、大気閉止工程Ｓ３１と加圧気体案内工程Ｓ４１とを実施する。その後、ピグ１１が動き出したことを確認した時は、大気開放工程Ｓ３０を実施する。
また、負圧吸引工程Ｓ１０を実施中に、大気開放工程Ｓ３０と加圧気体閉止工程Ｓ４０とを実施した後で、ピグ投入工程Ｓ２０を実施してから所定時間が経過するまでにピグ１１が他方の端部に到達しないときに、大気閉止工程Ｓ３１と加圧気体案内工程Ｓ４１とを実施してもよい。その後、ピグ１１が動き出したことを確認した時は、大気開放工程Ｓ３０と加圧気体閉止工程Ｓ４０とを実施する。
その後、ピグ１１が他方の端部に到達したときは、ピグ回収工程Ｓ２１を実施する。
【００４４】
次に、第一の実施形態にかかる配管更生方法を実施する第二のタイプの手順を説明する。
負圧吸引工程Ｓ１０を実施中に、ピグ投入工程Ｓ２０を実施した時からピグが他方の端部に到達するまでの間に、配管の他方の端部の圧力の変化に応じて、大気閉止工程Ｓ３１と加圧気体案内工程Ｓ４１を実施、または大気開放工程Ｓ３０を実施のうちの一方を行う。
また、負圧吸引工程Ｓ１０を実施中に、ピグ投入工程Ｓ２０を実施した時からピグが他方の端部に到達するまでの間に、配管の他方の端部の圧力の変化に応じて、大気閉止工程Ｓ３１と加圧気体案内工程Ｓ４１とを実施、または大気開放工程Ｓ３０と加圧気体閉止工程Ｓ４０とを実施のうちの一方を行ってもよい。
その後、ピグ１１が他方の端部に到達したときは、ピグ回収工程を実施する。
【００４５】
次に、第一の実施形態に係る配管更生方法を実施する第三のタイプの手順を説明する。
負圧吸引工程Ｓ１０を実施中に、ピグ投入工程Ｓ２０を実施した時からピグ１１が他方の端部に到達するまでの間に、配管の他方の端部１０ｂの圧力が設定圧力より高いときに大気開放工程Ｓ３０を実施し、配管の他方の端部の圧力が設定圧力より低いときに大気閉止工程Ｓ３１と加圧気体案内工程Ｓ４１とを実施する。
また、負圧吸引工程Ｓ１０を実施中に、ピグ投入工程Ｓ２０を実施した時からピグ１１が他方の端部に到達するまでの間に、配管の他方の端部の圧力が設定圧力より高いときに大気開放工程Ｓ３０と加圧気体閉止工程Ｓ４０とを実施し、配管の他方の端部の圧力が設定圧力より低いときに大気閉止工程Ｓ３１と加圧気体案内工程Ｓ４１とを実施してもよい。
設定圧力は、バキュームポンプの負圧吸引弁を閉じたときの負圧の１／２〜２／３程度に設定される。
その後、ピグ１１が他方の端部に到達したときは、ピグ回収工程を実施する。
【００４６】
次に、第一の実施形態にかかる配管更生方法を実施する第四のタイプの手順を説明する。
負圧吸引工程Ｓ１０を実施中に、ピグ投入工程Ｓ２０を実施した時からピグ１１が他方の端部に到達するまでの間に、配管の他方の端部の圧力の変動幅が設定圧力幅より小さいときに大気開放工程Ｓ３０を実施し、または配管の他方の端部の圧力の変動幅が設定圧力幅より大きいときに大気閉止工程Ｓ３１と加圧気体案内工程Ｓ４１とを実施する。
また、負圧吸引工程Ｓ１０を実施中に、ピグ投入工程Ｓ２０を実施した時からピグ１１が他方の端部に到達するまでの間に、配管の他方の端部の圧力の変動幅が設定圧力幅より小さいときに大気開放工程Ｓ３０と加圧気体閉止工程Ｓ４０とを実施し、または配管の他方の端部の圧力の変動幅が設定圧力幅より大きいときに大気閉止工程Ｓ３１と加圧気体案内工程Ｓ４１とを実施してもよい。
その後、ピグ１１が他方の端部に到達したときは、ピグ回収工程を実施する。
【００４７】
以下に、第一の実施形態にかかる配管更生方法の作用を、図を基に、説明する。
図３は、第一の実施形態にかかる配管更生方法の作用を示している。
図３は、理解の容易のために、ピグ１１を配管の他方の端部１０ｂから配管の一方の端部１０ａへ移動することをしない場合に省略できる機器を点線でしめしている。
（ステップＡ）
負圧吸引工程Ｓ１０を実施する。
大気開放工程Ｓ３０と加圧気体閉止工程Ｓ４０とを実施する。
気体が、配管の一方の端部から配管の他方の端部へ流れる。
ピグ投入工程Ｓ２０を実施する。
ピグ１１の配管の他方の端部の側が負圧になり、ピグ１１が配管の他方の端部に側へ移動する。
【００４８】
（ステップＢ）
ピグ１１が、配管の途中で引っ掛かり、止まる。
ピグ１１が配管の途中に引っ掛かりかけると、配管の他方の端部１０ｂの圧力の変動幅が大きくなる。また、ピグ１１が配管の途中に引っ掛かって止まると、配管の他方の端部１０ｂの圧力が低くなる。そして、ピグを投入してから所定の時間が経過してもピグ１１が配管の他方の端部１０ｂに到着しない。
操作員は、これらの現象を確認すると、ピグ１１が配管１０の途中に引っ掛かって止まったと判断するので、大気閉止工程Ｓ３１と加圧気体案内工程Ｓ４１とを実施する。加圧気体が、配管の一方の端部１０ａの側から配管に入る。
ピグ１１の配管の一方の端部の側の圧力が高くなる。
気体が、配管の一方の端部の側から、ピグ１１と配管との隙間から、配管の他方の端部へ移動する。
ピグ１１と配管１０の壁面との摩擦が低下し、ピグ１１が配管の中を移動し、配管の他方の端部１０ｂに設けられたピグキャッチャー２０ｂに入る。
ピグ回収工程Ｓ２１を実施する。
【００４９】
次に、本発明の第二の実施形態に係る配管更生方法を、図を基に、説明する。
図４は、本発明の第二の実施形態に係る配管更生装置の概念図である。図５は、本発明の第二の実施形態に係る配管更生方法のシーケンス図である。図６は、本発明の第二の実施形態に係る配管更生方法の作用説明図である。
【００５０】
最初に、第二の実施形態に係る配管更生方法で使用する配管更生装置を説明する。
配管更生装置は、ピグ１１を用いて配管１０を清掃または塗装する装置であって、２個のピグキャッチャー２０ａ、２０ｂと２個の負圧吸引機器３０ａ、３０ｂと加圧気体案内機器４０ａ、４０ｂと液体案内機器７０ａ、７０ｂと２個の圧力計６０ａ、６０ｂとで構成される。
ピグ１１を配管の一方の端部１０ａから投入し、ピグ１１を配管の他方の端部１０ｂに到達させる場合を例に、説明する。
ピグキャッチャー２０ａと負圧吸引機器３０ａと加圧気体案内機器４０ａと液体案内機器７０ａと圧力計６０ａとが、配管の一方の端部に設置される。
ピグキャッチャー２０ｂと負圧吸引機器３０ｂと加圧気体案内機器４０ｂと液体案内機器７０ｂと圧力計６０ｂとが、配管の他方の端部に設置される。
【００５１】
ピグキャッチャー２０ａ、１０ｂと負圧吸引機器３０ａ、３０ｂと加圧気体案内機器４０ａ、４０ｂと圧力計６０ａ、６０ｂの構成は、第一の実施形態に係る配管更生方法に用いる配管更生機器のものと同じなので、説明を省略する。
【００５２】
液体案内機器７０ａは、配管の一方の端部１０ａに加圧した気体を案内し、または配管の一方の端部に加圧した気体を案内するのを止める機器である。
液体案内機器７０ａは、ポンプ７１ａと液体案内配管７２ａと液体案内弁７３ａとで構成される。
ポンプ７１ａは、液体を昇圧する機械要素である。
液体案内配管７２ａは、ポンプ７１ａの吐出口と配管の一方の端部１０ａに設けられるピグキャッチャー２０ａのヘッダー２２ａに連通する配管である。
液体案内弁７３ａは、液体案内配管７２ａに設けられた開閉弁である。液体案内弁７３ａを開くと、配管の一方の端部１０ａに加圧した気体を案内する。液体案内弁７３ａを閉じると、配管の一方の端部１０ａに加圧した気体を案内するのを止める。
液体案内機器７０ｂの構造は、配管の他方の端部１０ｂに設けられたピグキャッチャー２０ｂに接続されること以外は、液体案内機器７０ａの構造と同じなので、説明を省略する。
ピグを配管の他方の端部１０ｂから投入し配管の一方の端部１０ａに到達させることをしない場合は、配管の他方の端部１０ｂに設けるピグキャッチャー２０ｂに接続する液体案内機器７０ａは省略可能である。
【００５３】
次に、本発明の第二の実施形態に係る配管更生方法を、図を基に、説明する。
配管更生方法は、ピグを用いて配管を清掃または塗装する方法であって、負圧吸引工程Ｓ１０とピグ投入工程Ｓ２０とピグ回収工程Ｓ２１と液体案内工程Ｓ５０と液体閉止工程Ｓ５１と加圧気体閉止工程Ｓ４０と加圧気体案内工程Ｓ４１とで構成される。
【００５４】
負圧吸引工程Ｓ１０とピグ投入工程Ｓ２０とピグ回収工程Ｓ２１と加圧気体閉止工程Ｓ４０と加圧気体案内工程Ｓ４１の構成は、第一の実施形態に係る配管更生方法のものと同じなので、説明を省略する。
【００５５】
液体案内工程Ｓ５０は、配管の一方の端部１０ａに液体を案内する工程である。
液体案内弁７３ａを開く。ポンプ７１ａで昇圧された液体が、配管の一方の端部から配管１０の中に入る。
【００５６】
液体閉止工程Ｓ５１は、配管の一方の端部１０ａに液体を案内するのを止める工程である。
液体案内弁７３ａを閉じる。ポンプ７１ａで昇圧された液体が、配管の一方の端部から配管１０の中に入るのを停止する。
【００５７】
次に、第二の実施形態にかかる配管更生方法を実施する複数のタイプの手順を説明する。
ピグ１１を配管の一方の端部から投入し、配管の他方の端部で回収する場合を例に説明する。
【００５８】
第二の実施形態にかかる配管更生方法を実施する第一のタイプの手順を説明する。
負圧吸引工程Ｓ１０を実施中に、液体案内工程Ｓ５０と加圧気体閉止工程Ｓ４０とを実施した後で、ピグ投入工程Ｓ２０を実施してから所定時間が経過するまでにピグ１１が他方の端部に到達したときは、ピグ回収工程Ｓ２１を実施する。
負圧吸引工程Ｓ１０を実施中に、液体案内工程Ｓ５０と加圧気体閉止工程Ｓ４０とを実施した後で、ピグ投入工程Ｓ２０を実施してから所定時間を経過するまでにピグ１１が配管の他方の端部１０ｂに到達しないときに、加圧気体案内工程Ｓ４１を実施する。ピグ１１が動き出したことを確認した時に、液体案内工程Ｓ５０と加圧気体閉止工程Ｓ４０を実施する。
また、負圧吸引工程Ｓ１０を実施中に、液体案内工程Ｓ５０と加圧気体閉止工程Ｓ４０とを実施した後で、ピグ投入工程Ｓ２０を実施してから所定時間を経過するまでにピグ１１が配管の他方の端部１０ｂに到達しないときに、加圧気体案内工程Ｓ４１と液体閉止工程Ｓ５１を実施してもよい。ピグ１１が動き出したことを確認した時に、液体案内工程Ｓ５０と加圧気体閉止工程Ｓ４０とを実施する。
その後、ピグ１１が他方の端部に到達したときは、ピグ回収工程を実施してもよい。
【００５９】
次に、第二の実施形態にかかる配管更生方法を実施する第二のタイプの手順を説明する。
負圧吸引工程Ｓ１０を実施中に、ピグ投入工程Ｓ２０を実施した時からピグ１１が他方の端部１０ｂに到達するまでの間に、配管の他方の端部の圧力の変化に応じて、加圧気体閉止工程Ｓ４０と液体案内工程Ｓ５０とを実施、または加圧気体案内工程Ｓ４１を実施のうちの一方を行う。
また、負圧吸引工程Ｓ１０を実施中に、ピグ投入工程Ｓ２０を実施した時からピグ１１が他方の端部１０ｂに到達するまでの間に、配管の他方の端部の圧力の変化に応じて、加圧気体閉止工程Ｓ４０と液体案内工程Ｓ５０とを実施、または加圧気体案内工程Ｓ４１と液体閉止工程Ｓ５１とそ実施のうちの一方を行ってもよい。
その後、ピグ１１が他方の端部に到達したときは、ピグ回収工程を実施する。
【００６０】
次に、第二の実施形態に係る配管更生方法を実施する第三のタイプの手順を説明する。
負圧吸引工程Ｓ１０を実施中に、ピグ投入工程Ｓ２０を実施した時からピグ１１が他方の端部１０ｂに到達するまでの間に、配管の他方の端部の圧力１０ｂが設定圧力より高いときに加圧気体閉止工程Ｓ４０と液体案内工程Ｓ５０とを実施し、または配管の他方の端部の圧力が設定圧力より低いときに加圧気体案内工程Ｓ４１を実施する。
また、負圧吸引工程Ｓ１０を実施中に、ピグ投入工程Ｓ２０を実施した時からピグ１１が他方の端部１０ｂに到達するまでの間に、配管の他方の端部１０ｂの圧力が設定圧力より高いときに加圧気体閉止工程Ｓ４０と液体案内工程Ｓ５０を実施し、または配管の他方の端部１０ｂの圧力が設定圧力より低いときに加圧気体案内工程Ｓ４１と液体閉止工程Ｓ５１とを実施してもよい。
設定圧力は、バキュームポンプの負圧吸引弁を閉じたときの負圧の１／２〜２／３程度に設定される。
その後、ピグ１１が他方の端部に到達したときは、ピグ回収工程Ｓ２１を実施する。
【００６１】
次に、第二の実施形態にかかる配管更生方法を実施する第四のタイプの手順を説明する。
負圧吸引工程Ｓ１０を実施中に、ピグ投入工程Ｓ２０を実施した時からピグ１１が他方の端部に到達するまでの間に、配管の他方の端部の圧力の変動幅が設定圧力幅より小さいときに液体案内工程Ｓ５０と加圧気体閉止工程Ｓ４０とを実施し、または配管の他方の端部の圧力の変動幅が設定圧力幅より大きいときに加圧気体案内工程Ｓ４１を実施する。
また、負圧吸引工程Ｓ１０を実施中に、ピグ投入工程Ｓ２０を実施した時からピグ１１が他方の端部に到達するまでの間に、配管の他方の端部の圧力の変動幅が設定圧力幅より小さいときに液体案内工程Ｓ５０と加圧気体閉止工程Ｓ４０とを実施し、または配管の他方の端部の圧力の変動幅が設定圧力幅より大きいときに加圧気体案内工程Ｓ４１と液体閉止工程Ｓ５１とを実施してもよい。
その後、ピグ１１が他方の端部に到達したときは、ピグ回収工程を実施する。
【００６２】
以下に、第二の実施形態にかかる配管更生方法の作用を、図を基に、説明する。
図６は、第二の実施形態にかかる配管更生方法の作用を示している。
図６は、理解の容易のために、ピグ１１を配管の他方の端部１０ｂから配管の一方の端部１０ａへ移動することをしない場合に省略できる機器を点線でしめしている。
（ステップＡ）
負圧吸引工程Ｓ１０を実施する。
液体案内工程Ｓ５０と加圧気体閉止工程Ｓ４０とを実施する。
液体が、配管の一方の端部から配管の他方の端部へ流れる。
ピグ投入工程Ｓ２０を実施する。
ピグ１１の配管の他方の端部の側が負圧になり、液体がピグ１１の配管の一方の端部の側に溜まり、ピグ１１が配管の他方の端部に側へ移動する。
【００６３】
（ステップＢ）
ピグ１１が、配管の途中で引っ掛かり、止まる。
ピグ１１が配管の途中に引っ掛かりかけると、配管の他方の端部１０ｂの圧力の変動幅が大きくなる。また、ピグ１１が配管の途中に引っ掛かって止まると、配管の他方の端部１０ｂの圧力が低くなる。そして、ピグを投入してから所定の時間が経過してもピグ１１が配管の他方の端部１０ｂに到着しない。
操作員は、これらの現象を確認すると、ピグ１１が配管１０の途中に引っ掛かって止まったと判断するので、液体閉止工程Ｓ５１と加圧気体案内工程Ｓ４１とを実施する。
加圧気体が、ピグ１１の配管の一方の側にたまった液体に混じる。
ピグ１１の配管の一方の端部の側の圧力が高くなる。
気体の混ざった液体が、配管の一方の端部の側から、ピグ１１と配管との隙間から、配管の他方の端部へ移動する。
ピグ１１と配管１０の壁面との摩擦が低下し、ピグ１１が配管の中を移動し、配管の他方の端部１０ｂに設けられたピグキャッチャー２０ｂに入る。
ピグ回収工程Ｓ２１を実施する。
【００６４】
次に、第三の実施形態にかかる配管更生方法を、図を基に、説明する。
図７は、本発明の第三の実施形態に係る配管更生装置の概念図である。図８は、本発明の第一の実施形態に係る配管更生方法のシーケンス図である。
【００６５】
最初に、第三の実施形態に係る配管更生方法で使用する配管更生装置を説明する。
配管更生装置は、ピグ１１を用いて配管１０を清掃または塗装する装置であって、２個のピグキャッチャー２０ａ、２０ｂと２個の負圧吸引機器３０ａ、３０ｂと加圧気体案内機器４０ａ、４０ｂと大気案内機器５０ａ、５０ｂと２個の圧力計６０ａ、６０ｂとケーブル送り機器Ｓ８０とで構成される。
ピグ１１を配管の一方の端部１０ａから投入し、ピグ１１を配管の他方の端部１０ｂに到達させる場合を例に、説明する。
【００６６】
２個のピグキャッチャー２０ａ、２０ｂと２個の負圧吸引機器３０ａ、３０ｂと加圧気体案内機器４０ａ、４０ｂと大気案内機器５０ａ、５０ｂと２個の圧力計６０ａ、６０ｂの構造は、第一の実施形態に係る配管更生方法に用いる配管更生装置のものと同じなので、説明を省略する。
【００６７】
ケーブル送り機器８０は、配管内を移動するピグに連結したケーブルを送る機器であり、ケーブル繰り出しドラム８１とケーブル８２とケーブル巻き込みドラム８３とで構成される。
ケーブル繰り出しドラム８１は、配管の一方の端部１０ａの側に設けられたドラムであり、ピグに連結したケーブル８２を繰り出す。
ケーブル８２は、途中にピグ１１が連結されたものであり、一方の端部が配管の一方の端部１０ａからら外へでて、他方の端部が配管の他方の端部１０ｂから外へでる。
ケーブル巻き込みドラム８３は、配管の他方の端部１０ｂの側に設けられたドラムであり、ピグに連結したケーブル８２を巻き込む。
ピグ１１を配管の他方の端部１０ｂから配管の一方の端部１０ａへ移動する場合は、ケーブル繰り出しドラム８１とケーブル巻き込みドラム８３とが互いの機能を発揮する。
【００６８】
次に、本発明の第三の実施形態に係る配管更生方法を、図を基に、説明する。
配管更生方法は、ピグを用いて配管を清掃または塗装する方法であって、負圧吸引工程Ｓ１０とピグ投入工程Ｓ２０とピグ回収工程Ｓ２１と大気開放工程Ｓ３０と大気閉止工程Ｓ３１と加圧気体閉止工程Ｓ４０と加圧気体案内工程Ｓ４１とケーブル送り工程Ｓ６０とで構成される。
【００６９】
負圧吸引工程Ｓ１０とピグ投入工程Ｓ２０とピグ回収工程Ｓ２１と大気開放工程Ｓ３０と大気閉止工程Ｓ３１と加圧気体閉止工程Ｓ４０と加圧気体案内工程Ｓ４１とは、第一の実施形態にかかる配管更生方法で説明したものとおなじなので、説明を省略する。
【００７０】
ケーブル送り工程Ｓ６０は、ピグの移動に応じてケーブルを送る工程である。
ケーブル送り工程Ｓ６０でのケーブル送り速度により、ピグ１１の移動速度を制御できる。
特にピグ１１が配管内壁を撮影するカメラ等を搭載している場合に、配管の内壁の映像を精度良く得ることができる。
【００７１】
第三の実施形態にかかる配管更生方法の作用は、第一の実施形態にかかる配管更生方法の作用とおなじなので、説明を省略する。
【００７２】
以上説明したように本発明に係るピグを配管の一方の端部１０ａから配管の他方の端部１０ｂに移動させて、配管を清掃または塗装する配管更生方法は、その構成により、以下の効果を有する。
配管の他方の端部１０ｂから内部の流体を負圧で吸引する際に、配管の一方の端部１０ａを大気に開放した後で、配管の一方の端部１０ａに投入したピグ１１が配管の他方の端部１０ｂに到達しないときに、配管の一方の端部１０ａを大気に開放するのを止めて、配管の一方の端部１０ａに加圧した気体を案内する様にしたので、ピグ１１が配管の途中に止まったときに、ピグ１１に加圧した気体の圧力を作用させ、ピグ１１を配管の他方の端部１０ｂに到達させる。
配管の他方の端部１０ｂから内部の流体を負圧で吸引する際に、配管の一方の端部１０ａに投入したピグが配管の他方の端部１０ｂに到達するまでの間に、配管の他方の端部１０ｂの圧力の変化に応じて、配管の一方の端部１０ａを大気に開放するのを止めて配管の一方の端部１０ａに加圧した気体を案内することと、配管の一方の端部１０ａを大気に開放することとの一方をおこなう様にしたので、ピグ１１が配管１０の途中に止まったときに配管の他方の端部１０ｂの圧力の変化が生じるので、ピグ１１に加圧した気体の圧力を作用させ、ピグ１１を配管の他方の端部１０ｂに到達させる。
また、配管の他方の端部１０ｂの圧力が設定圧力より高いときに配管の一方の端部１０ａを大気に開放し、配管の他方の端部１０ｂの圧力が設定圧力より低いときに配管の一方の端部１０ａを大気に開放するのを止めて配管の一方の端部１０ａに加圧した気体を案内する様にしたので、ピグ１１が配管の途中に止まったときに配管の他方の端部１０ｂの圧力が低下するので、ピグに加圧した気体の圧力を作用させ、ピグを配管の他方の端部１０ｂに到達させる。
また、配管の他方の端部１０ｂの圧力の変動幅が設定圧力幅より小さいときに配管の一方の端部１０ａを大気に開放し、配管の他方の端部１０ｂの圧力の変動幅が設定圧力幅より大きいときに配管の一方の端部１０ａを大気に開放するのを止めて配管の一方の端部１０ａに加圧した気体を案内する様にしたので、ピグ１１が配管１０の途中に止まりかけたときに配管の他方の端部１０ｂの圧力の変動幅が大きくなるので、ピグ１１に加圧した気体の圧力を作用させ、ピグ１１を配管の他方の端部１０ｂに到達させる。
配管の他方の端部１０ｂから内部の流体を負圧で吸引する際に、配管の一方の端部１０ａに加圧した気体を案内するのを止めて配管の一方の端部１０ａに液体を案内した後で、配管の一方の端部１０ａに投入したピグ１１が配管の他方の端部１０ｂに到達しないときに、配管の一方の端部１０ａに加圧した気体を案内する様にしたので、ピグ１１が配管１０の途中に止まったときに、ピグ１１に加圧した気体の圧力を作用させ、ピグ１１を配管の他方の端部１０ｂに到達させる。
配管の他方の端部１０ｂから内部の流体を負圧で吸引する際に、配管の一方の端部１０ａに液体を案内した後で、配管の一方の端部１０ａに投入したピグ１１が配管の他方の端部１０ｂに到達するまでの間に、配管の他方の端部１０ｂの圧力の変化に応じて、配管の一方の端部１０ａに加圧した気体を案内することと、配管の一方の端部１０ａに加圧した気体を案内するのを止めることとの一方をおこなう様にしたので、ピグ１１が配管１０の途中に止まったときに配管の他方の端部１０ｂの圧力の変化が生じるので、ピグ１１に加圧した気体の圧力を作用させ、ピグ１１を配管の他方の端部１０ｂに到達させる。
また、配管の他方の端部１０ｂの圧力が設定圧力より高いときに配管の一方の端部１０ａに加圧した気体を案内するのを止め、配管の他方の端部１０ｂの圧力が設定圧力より低いときに配管の一方の端部１０ａに加圧した気体を案内する様にしたので、ピグ１１が配管１０の途中に止まったときに配管の他方の端部１０ｂの圧力が低下するので、ピグ１１に加圧した気体の圧力を作用させ、ピグを配管の他方の端部に到達させる。
また、配管の他方の端部１０ｂの圧力の変動幅が設定圧力幅より小さいときに配管の一方の端部１０ａに加圧した気体を案内するのを止め、配管の他方の端部１０ｂの圧力の変動幅が設定圧力幅より大きいときに配管の一方の端部１０ａに加圧した気体を案内する様にしたので、ピグ１１が配管１０の途中に止まりかけたときに配管の他方の端部の圧力の変動幅が大きくなるので、ピグに加圧した気体の圧力を作用させ、ピグを配管の他方の端部に到達させる。
【００７３】
本発明は以上に述べた実施形態に限られるものではなく、発明の要旨を逸脱しない範囲で各種の変更が可能である。
実施形態の説明では、ピグを配管に一方の端部から投入し、配管の他方の端部から回収する例で、説明したがこれに限定されず、ピグを配管に一方の端部から投入し、配管の他方の端部に到達した後、ピグを配管の他方の側１０ｂから配管の一方の側１０ａへ移動させてもよい。そのためには、例えば第一の実施形態にかかる配管更生方法であれば、バキューム弁３３ｂを閉じてバキューム弁３３ａを開き、大気案内弁５２ａを閉じて大気案内弁５２ｂを開き、バキュームポンプ３１ａを作動させる。その後、上述したのと配管の一方と他方が入れ替わっただけでその他は同様の操作をおこなうと、ピグが配管の他方の端部１０ｂから配管の一方の端部１０ａへ移動する。
また、実施形態の説明で、配管を塗装する場合の塗料の投入について説明していないが、ピグ投入工程において、ピグ１１をピグキャッチャー２０ａに投入する前または後で、必要な量の塗料をピグキャッチャー２０ａの開閉蓋をあけた開口部に投入する。
【図面の簡単な説明】
【００７４】
【図１】本発明の第一の実施形態に係る配管更生装置の概念図である。
【図２】本発明の第一の実施形態に係る配管更生方法のシーケンス図である。
【図３】本発明の第一の実施形態に係る配管更生方法の作用説明図である。
【図４】本発明の第二の実施形態に係る配管更生装置の概念図である。
【図５】本発明の第二の実施形態に係る配管更生方法のシーケンス図である。
【図６】本発明の第二の実施形態に係る配管更生方法の作用説明図である。
【図７】本発明の第三の実施形態に係る配管更生装置の概念図である。
【図８】本発明の第三の実施形態に係る配管更生方法のシーケンス図である。
【符号の説明】
【００７５】
１０    配管
１０ａ  配管の一方の端部
１０ｂ  配管の他方の端部
１１    ピグ
２０ａ  ピグキャッチャー
２１ａ  外管
２２ａ  ヘッダー
２３ａ  内管
２４ａ  開閉蓋
２０ｂ  ピグキャッチャー
２１ｂ  外管
２２ｂ  ヘッダー
２３ｂ  内管
２４ｂ  開閉蓋
３０ａ  負圧吸引機器
３１ａ  バキュームポンプ
３２ａ  バキューム配管
３３ａ  バキューム弁
３０ｂ  負圧吸引機器
３１ｂ  バキュームポンプ
３２ｂ  バキューム配管
３３ｂ  バキューム弁
４０ａ  加圧気体案内機器
４１ａ  コンプレッサー
４２ａ  加圧気体配管
４３ａ  加圧気体弁
４０ｂ  加圧気体案内機器
４１ｂ  コンプレッサー
４２ｂ  加圧気体配管
４３ｂ  加圧気体弁
５０ａ  大気案内機器
５１ａ  大気案内配管
５２ａ  大気案内弁
５０ｂ  大気案内機器
５１ｂ  大気案内配管
５２ｂ  大気案内弁
６０ａ  圧力計
６０ｂ  圧力計
７０ａ  液体案内機器
７１ａ  ポンプ
７２ａ  液体案内配管
７３ａ  液体案内弁
７０ｂ  液体案内機器
７１ｂ  ポンプ
７２ｂ  液体案内配管
７３ｂ  液体案内弁
８０    ケーブル送り機器
８１    ケーブル繰り出しドラム
８２    ケーブル
８３    ケーブル巻き込みドラム
Ｓ１０  負圧吸引工程
Ｓ２０  ピグ投入工程
Ｓ２１  ピグ回収工程
Ｓ３０  大気開放工程
Ｓ３１  大気閉止工程
Ｓ４０  加圧気体閉止工程
Ｓ４１  加圧気体案内工程
Ｓ５０  液体案内工程
Ｓ５１  液体閉止工程
Ｓ６０  ケーブル送り工程
【図１】
2007209940.tif 000003
【図２】
2007209940.tif 000004
【図３】
2007209940.tif 000005
【図４】
2007209940.tif 000006
【図５】
2007209940.tif 000007
【図６】
2007209940.tif 000008
【図７】
2007209940.tif 000009
【図８】
2007209940.tif 000010